(57)【要約】ギアシフト装置は、磁気板１０と、磁気板１０をセンシングすることで、ギア信号を出力するためのセンサー１１とを有し、磁気板１０がＭ個のギアを区分するためのＭ個のコーディング領域を有し、Ｍ個のコーディング領域には少なくとも、磁気板１０の同一の領域を共有する二つのコーディング領域が存在し、Ｍが２以上の正の整数である。少なくとも二つのギアに対応するコーディング領域が磁気板１０の同一の領域を共有し、各々ギアに対応するコーディング領域がいずれも磁気板１０の異なる領域に対応する状況に比べると、磁気板１０のサイズを小さくする。【選択図】図５
2021501293.tif 000002
【特許請求の範囲】
【請求項１】
ギアシフト装置であって、
磁気板と、前記磁気板をセンシングすることでギア信号を出力するためのセンサーとを備えるギアシフト装置において、
前記磁気板が、Ｍ個の前記ギアを区分するためのＭ個のコーディング領域を有し、Ｍ個の前記コーディング領域には少なくとも、前記磁気板の同一の領域を共有する二つの前記コーディング領域が存在し、
Ｍは２以上の正の整数であることを特徴とするギアシフト装置。
【請求項２】
いずれかの前記コーディング領域においては、いずれも少なくとも、前記磁気板の同一の領域を共有する他の一つの前記コーディング領域が存在することを特徴とする請求項１に記載のギアシフト装置。
【請求項３】
前記磁気板はＮ列であり、各前記コーディング領域はＫ列であり、相応的に、前記センサーはＫ組であり、各組には少なくとも一つの前記センサーが含まれ、各組前記センサーが対応する前記コーディング領域の１列をセンシングし、前記コーディング領域が共有する前記磁気板の列の数が合計でＮ−２であり、
Ｎが３以上の正の整数であり、Ｋが２の以上で、且つＮより小さい正の整数であり、前記同一の領域が少なくとも１列であることを特徴とする請求項２に記載のギアシフト装置。
【請求項４】
前記Ｋは具体的に２であり、前記Ｍは具体的に５であることを特徴とする請求項３に記載のギアシフト装置。
【請求項５】
前記Ｍは具体的に５であり、前記磁気板は７列であり、各前記コーディング領域は２列であり、相応的に、前記センサーは２組であり、各組には少なくとも１つの前記センサーが含まれ、各組前記センサーが対応する前記コーディング領域の１列をセンシングし、前記コーディング領域が共有する前記磁気板の列の数が合計で３であることを特徴とする請求項２に記載のギアシフト装置。
【請求項６】
前記Ｍは具体的に５であり、前記磁気板は８列であり、各前記コーディング領域は２列であり、相応的に、前記センサーは２組であり、各組には少なくとも一つの前記センサーが含まれ、各組前記センサーが前記コーディング領域の１列をセンシングし、前記コーディング領域が共有する前記磁気板の列の数が合計で２であることを特徴とする請求項１に記載のギアシフト装置。
【請求項７】
前記Ｍは具体的に５であり、前記磁気板は９列であり、各前記コーディング領域は２列であり、相応的に、前記センサーは２組であり、各組には少なくとも一つの前記センサーが含まれ、各組前記センサーが対応する前記コーディング領域の１列をセンシングし、前記コーディング領域が共有する前記磁気板の列の数が合計で１であることを特徴とする請求項１に記載のギアシフト装置。
【請求項８】
各組前記センサーの数量がいずれも等しいことを特徴とする請求項３〜７のいずれかの１項に記載のギアシフト装置。
【請求項９】
前記センサーは具体的にホールセンサーであることを特徴とする請求項１に記載のギアシフト装置。
【請求項１０】
請求項１〜９のいずれかの１項に記載のギアシフト装置に基づくギアのコーディング方法であって、
前記方法は、
磁気板に、各ギアに対応するコーディング領域を配置することと、
センサーが各前記コーディング領域をセンシングする際に出力した信号に応じて、各前記ギアに対してコーディングを行うこととを含み、
異なる前記ギアにおいて、前記センサーの、前記コーディング領域が共有する前記磁気板の同一の領域での出力信号に対応するコードの一部が等しいことを特徴とするギアのコーディング方法。
【発明の詳細な説明】
【技術分野】
【０００１】
本出願は２０１７年１０月３１日にて中国特許庁に提出され、出願番号が２０１７１１０４５５０６.４であり、発明名称が「ギアシフト装置及びギアのコーディング方法」である中国特許出願の優先権を主張し、その全ての内容は援用されることで本出願に結合される。
【０００２】
本発明は自動車技術分野に関わり、特にギアシフト装置及びギアのコーディング方法に関わる。
【背景技術】
【０００３】
自動車技術の発展につれて、伝統の機械式ギアシフト装置はだんだんワイヤー制御式のギアシフト装置にとって代わられる。
【０００４】
ワイヤー制御式のギアシフト装置は磁気板と磁気板をセンシングするためのセンサーとを有し、磁気板が若干のコーディング領域を有し、センサーが異なるコーディング領域をセンシングするとともに、異なるギア信号を出力することで、ユーザによる設定されたギアを判定する。
【発明の概要】
【発明が解決しようとする課題】
【０００５】
従来技術において、異なるギアの場合に、センサーは磁気板で異なる位置に対応し、つまり、各ギアのコーディング領域が磁気板の異なる領域に対応する。図１及び図２に示すように、図１（ａ）は従来技術により提供されるギアシフト装置のセンサーが第１ギアに対応するコーディング領域をセンシングする場合における磁気板との対向位置の模式図であり、図１（ｂ）は図１（ａ）により提供されるギアシフト装置のセンサーが第２ギアに対応するコーディング領域をセンシングする場合における磁気板との対向位置の模式図であり、例えば、センサー１１が２組であり、磁気板１０の１列で１組のセンサー１１を示し、各組には４つのセンサー１１が含まれ、図１における４行に対応し、第１ギアにある場合に、センサー１１が磁気板１０のコーディング領域１２をセンシングし、第２ギアにある場合に、センサーが磁気板１０のコーディング領域１３をセンシングし、順次に類推すれば、自動車は合計で５つのギアを具備すると、相応的に、磁気板が５つのコーディング領域を有し、磁気板１０が少なくとも１０列を有し、磁気板１０のサイズが一般的に大きく、ギアの配置が多い自動車にとって、このような欠陥がより明らかである。これは、ワイヤー制御式ギアシフト装置がますます小型化になるという発展需求と矛盾する。
【０００６】
従って、如何に磁気板のサイズを小さくするかということは、当業者にとって解決しようとする問題である。
【０００７】
本発明は、磁気板のサイズを小さくするギアシフト装置及びギアのコーディング方法を提供することを目的とする。
【課題を解決するための手段】
【０００８】
前記技術問題を解決するために、本発明は、磁気板と、前記磁気板をセンシングすることでギア信号を出力するためのセンサーとを備えるギアシフト装置を提供し、前記磁気板が、Ｍ個の前記ギアを区分するためのＭ個のコーディング領域を有し、Ｍ個の前記コーディング領域には少なくとも、前記磁気板の同一の領域を共有する二つの前記コーディング領域が存在する。
【０００９】
Ｍは２以上の正の整数である。
【００１０】
好ましくは、いずれかの前記コーディング領域においては、いずれも少なくとも、前記磁気板の同一の領域を共有する他の一つの前記コーディング領域が存在する。
【００１１】
好ましくは、前記磁気板はＮ列であり、各前記コーディング領域はＫ列であり、相応的に、前記センサーはＫ組であり、各組には少なくとも一つの前記センサーが含まれ、各組前記センサーが対応する前記コーディング領域の１列をセンシングし、前記コーディング領域が共有する前記磁気板の列の数が合計でＮ−２であり、
Ｎが３以上の正の整数であり、Ｋが２以上で、且つＮより小さい正の整数であり、前記同一の領域が少なくとも１列である。
【００１２】
好ましくは、前記Ｋは具体的に２であり、前記Ｍは具体的に５である。
【００１３】
好ましくは、前記Ｍは具体的に５であり、前記磁気板は７列であり、各前記コーディング領域は２列であり、相応的に、前記センサーは２組であり、各組には少なくとも１つの前記センサーが含まれ、各組前記センサーが対応する前記コーディング領域の１列をセンシングし、前記コーディング領域が共有する前記磁気板の列の数が合計で３である。
【００１４】
好ましくは、前記Ｍは具体的に５であり、前記磁気板は８列であり、各前記コーディング領域は２列であり、相応的に、前記センサーは２組であり、各組には少なくとも一つの前記センサーが含まれ、各組前記センサーが前記コーディング領域の１列をセンシングし、前記コーディング領域が共有する前記磁気板の列の数が合計で２である。
【００１５】
好ましくは、前記Ｍは具体的に５であり、前記磁気板は９列であり、各前記コーディング領域は２列であり、相応的に、前記センサーは２組であり、各組には少なくとも一つの前記センサーが含まれ、各組前記センサーが対応する前記コーディング領域の１列をセンシングし、前記コーディング領域が共有する前記磁気板の列の数が合計で１である。
【００１６】
好ましくは、各組前記センサーの数量がいずれも等しい。
【００１７】
好ましくは、前記センサーは具体的にホールセンサーである。
【００１８】
本発明はさらに、前記いずれかのギアシフト装置によるギアのコーディング方法を提供し、前記方法は、
磁気板に、各ギアに対応するコーディング領域を配置することと、
センサーが各前記コーディング領域をセンシングする際に出力した信号に応じて、各前記ギアに対してコーディングを行うこととを含み、
異なる前記ギアにおいて、前記センサーの、前記コーディング領域が共有する前記磁気板の同一の領域での出力信号に対応するコードの一部が等しい。
【００１９】
本発明により提供されるギアシフト装置は、磁気板と、磁気板をセンシングすることでギア信号を出力するためのセンサーとを有し、磁気板がＭ個のギアを区分するためのＭ個のコーディング領域を有し、Ｍ個のコーディング領域には少なくとも、磁気板の同一の領域を共有する二つのコーディング領域が存在する。Ｍは２以上の正の整数である。このように、少なくとも二つのギアに対応するコーディング領域が磁気板の同一の領域を共有し、従来技術の、各々ギアに対応するコーディング領域がいずれも磁気板の異なる領域に対応するという状況に比べると、磁気板のサイズを小さくする。本発明により提供されるギアのコーディング方法の効果は以上の通りだ。
【００２０】
本発明の実施例をより明らかに説明するために、以下は実施例の必要な図面を簡単に紹介し、明らかに、以下の説明における図面は本発明のいくつかの実施例のみであり、当業者にとって、進歩性に値する労働をしていない前提で、これらの図面に応じて他の図面を取得できる。
【図面の簡単な説明】
【００２１】
【図１（ａ）】従来技術により提供されるギアシフト装置のセンサーが第１ギアに対応するコーディング領域をセンシングする場合における磁気板との対向位置の模式図である。
【図１（ｂ）】図１（ａ）により提供されるギアシフト装置のセンサーが第２ギアに対応するコーディング領域をセンシングする場合における磁気板との対向位置の模式図である。
【図２】本発明の実施例により提供されるギアシフト装置のセンサーが各ギアに対応するコーディング領域をセンシングする場合における磁気板との対向位置の模式図である。
【図３】本発明の実施例により提供される他のギアシフト装置のセンサーが各ギアに対応するコーディング領域をセンシングする場合における磁気板との対向位置の模式図である。
【図４】本発明の実施例により提供される他のギアシフト装置のセンサーが各ギアに対応するコーディング領域をセンシングする場合における磁気板との対向位置の模式図である。
【図５】本発明の実施例により提供される他のギアシフト装置のセンサーが各ギアに対応するコーディング領域をセンシングする場合における磁気板との対向位置の模式図である。
【図６】本発明の実施例により提供される他のギアシフト装置のセンサーが各ギアに対応するコーディング領域をセンシングする場合における磁気板との対向位置の模式図である。
【図７】本発明の実施例により提供される他のギアシフト装置のセンサーが各ギアに対応するコーディング領域をセンシングする場合における磁気板との対向位置の模式図である。
【図８】本発明の実施例により提供される他のギアシフト装置のセンサーが各ギアに対応するコーディング領域をセンシングする場合における磁気板との対向位置の模式図である。
【図９】本発明の実施例により提供されるギアのコーディング方法のフローチャートである。
【発明を実施するための形態】
【００２２】
以下は本発明の実施例の図面を結合して、本発明の実施例における技術案を明らかに、完全に説明する。明らかに、説明される実施例は全ての実施例ではなく、本発明の一部の実施例のみである。本発明の実施例に基づき、当業者は進歩性に値する労働をしていない前提で、取得した他の全ての実施例は、いずれも本発明の保護範囲に該当する。
【００２３】
本発明は、磁気板のサイズを小さくするためのギアシフト装置及びギアのコーディング方法を提供することを目的とする。
【００２４】
当業者が本発明の技術案をよりよく理解するために、以下は、図面及び具体的な実施形態を結合して、本発明をさらに詳しく説明する。
【００２５】
図２は本発明の実施例により提供されるギアシフト装置のセンサーは各ギアに対応するコーディング領域をセンシングする場合における磁気板との対向位置の模式図である。
ギアシフト装置は、磁気板１０と、磁気板１０をセンシングすることで、ギア信号を出力するためのセンサー１１とを有し、磁気板１０がＭ個のギアを区分するためのＭ個のコーディング領域を有し、Ｍ個のコーディング領域には少なくとも、磁気板１０の同一の領域を共有する二つのコーディング領域が存在する。
【００２６】
Ｍは２以上の正の整数である。
【００２７】
図２に示すように、磁気板１０の同一の領域２０を共有する、第１ギアに対応するコーディング領域と第２ギアに対応するコーディング領域とが存在する。
【００２８】
センサー１１が磁気板１０をセンシングする場合に、磁気板１１における異なるコーディング領域での出力値が異なるため、異なるギアコードに対応する。複数のコーディング領域において、磁気板１０の同一の領域を共有する少なくとも二つのコーディング領域が存在し、センサー１１の、コーディング領域が共有する磁気板１０の同一の領域での一部の出力信号が同じから、対応するコードが同じである。少なくとも二つのコーディング領域が磁気板１０の同一の領域を共有するため、コーディング領域が少なくとも二つであり、つまり、少なくとも二つのギアがあるから、Ｍが２以上の正の整数である。
【００２９】
説明すべきなのは、図２は、三つのギアに対応する三つのコーディング領域には、磁気板１０の同一の領域２０を共有する、第１ギアに対応するコーディング領域と第２ギアに対応するコーディング領域とが存在することを示し、これに基づき、無論、第１ギアに対応するコーディング領域はさらに、第３ギアに対応するコーディング領域と磁気板１０の同一の領域を共有し、または第２ギアに対応するコーディング領域はさらに、第３ギアに対応するコーディング領域と磁気板１０の同一の領域を共有してもよい。少なくとも磁気板１０の同一の領域を共有する二つのコーディング領域が存在すればよく、本発明は磁気板１０の同一の領域を共有するコーディング領域の具体的な数を限定していなく、且つ、具体的にどの二つのギアに対応するコーディング領域が磁気板１０の同一の領域を共有するかということに対しても、本発明も限定していない。
【００３０】
また、説明すべきなのは、本実施例に対応する図２に示されるギアシフト装置は合計で三つのギアを有し、三つのギアである場合のギアシフト装置のセンサー１１は各ギアに対応するコーディング領域をセンシングする時における磁気板１０との対向位置を説明するが、ギアシフト装置にはただ三つのギアがあるとは限らなく、ギアシフト装置は他の数のギアを有してもよく、少なくとも、磁気板１０の同一の領域を共有する、二つのギアに対応するコーディング領域が存在すればよい。
【００３１】
説明すべきなのは、図２に示されるギアシフト装置のセンサー１１が均一に分布されて、センサー１１が３行３列という方式で配列されるが、センサー１１が図面に示される配列方式を満たさなければならないという意味ではなく、センサー１１が不均一に分布されてもよく、且つ必ず３行または３列とは限らなく、少なくとも、磁気板１０の同一の領域を共有する、二つのギアに対応するコーディング領域が存在すればよく、相応的に、少なくとも二つのギアが存在し、センサー１１が対応するコーディング領域をセンシングする場合に、磁気板１０との同一の対向位置を共有する。
【００３２】
説明すべきなのは、図２に示さる第１ギアに対応するコーディング領域と第２ギアに対応するコーディング領域とが磁気板１０の同一の領域２０を共有し、且つセンサー１１が該二つのコーディング領域をセンシングする際に、コーディング領域が共有する磁気板１０の同一の領域２０がセンサー１１の１列に対応するが、コーディング領域が共有する磁気板１０の同一の領域の大きさは、図面に示される同一の領域２０の大きさでなければならないという意味ではなく、且つセンサー１１が該二つのコーディング領域をセンシングする際に、コーディング領域が共有する磁気板１０の同一の領域は必ずセンサー１１の１列に対応するとは限らない。
【００３３】
説明すべきなのは、本実施例により提供されるギアシフト装置において、磁気板１０は列と行という形式で示されるが、磁気板１０は列または行という形式でなければならないという意味ではない。図２に示すように、図面における斜線領域と非斜線領域とは磁場の強度が異なる２組の領域を示し、センサー１１が磁気板１０をセンシングする際に、斜線領域と非斜線領域での出力値が異なり、これによって、異なるコーディング領域で、センサー１１が異なる信号を出力するという効果を果たして、異なるギアの区分のために用いられる。ただし、斜線領域と非斜線領域との分布は、図面に示される分布方式に準じなければならないという意味ではなく、センサー１１と協力してギアを区分すればよく、本発明は斜線領域と非斜線領域との具体的な分布状況を限定していない。
【００３４】
本実施例により提供されるギアシフト装置は、磁気板と、磁気板をセンシングすることでギア信号を出力するためのセンサーとを有し、磁気板がＭ個のギアを区分するためのＭ個のコーディング領域を有し、Ｍ個のコーディング領域には少なくとも、磁気板の同一の領域を共有する二つのコーディング領域が存在する。Ｍは２以上の正の整数である。このように、少なくとも二つのギアに対応するコーディング領域が磁気板の同一の領域を共有し、各々ギアに対応するコーディング領域がいずれも磁気板の異なる領域に対応するという状況に比べると、磁気板のサイズを小さくする。
【００３５】
図３は本発明の実施例により提供される他のギアシフト装置のセンサーが各対応するコーディング領域をセンシングする場合における磁気板との対向位置の模式図である。
【００３６】
前記実施例に基づき、磁気板１０のサイズをさらに小さくするために、好適な実施形態として、いずれかのコーディング領域にはいずれも少なくとも、磁気板１０の同一の領域を共有する他の一つのコーディング領域が存在する。
【００３７】
図３に示すように、第１ギアに対応するコーディング領域に対して、それと磁気板１０の同一の領域３０を共有する第２ギアに対応するコーディング領域が存在し、第２ギアに対応するコーディング領域に対して、それと磁気板１０の同一の領域３０を共有する第１ギアに対応するコーディング領域が存在し、第３ギアに対応するコーディング領域に対して、それと磁気板１０の同一の領域３１を共有する第４ギアに対応するコーディング領域が存在し、第４ギアに対応するコーディング領域に対して、それと磁気板１０の同一の領域３１を共有する第３ギアに対応するコーディング領域が存在する。
【００３８】
説明すべきなのは、図面に示されるギアに対応する各々コーディング領域にはいずれも、それと磁気板１０の同一の領域を共有する他の一つのコーディング領域が存在する。ただし、ギアに対応する各々コーディング領域は、一つのギアに対応するコーディング領域のみと磁気板１０ｂの同一の領域を共有するという意味ではない。例えば、第２ギアに対応するコーディング領域に対して、それと磁気板１０の同一の領域３０を共有する第１ギアに対応するコーディング領域が存在し、無論、これに基づき、第２ギアに対応するコーディング領域については、さらに、第３ギアに対応するコーディング領域と磁気板１０の他の同一の領域を共有してもよく、このような状況も本発明の保護範囲に該当する。そして、一つのギアに対応するコーディング領域に対して、該コーディング領域は具体的にギアに対応する他のどのコーディング領域と、磁気板１０の同一の領域を共有するかということに対して、本発明は限定していない。本実施例により提供されるギアシフト装置は前記実施例に基づき、ギアに対応するいずれかのコーディング領域に対していずれも少なくとも、それと磁気板１０の同一の領域を共有する他の一つのコーディング領域が存在すればよい。
【００３９】
説明すべきなのは、図３に示されるのは、ギアシフト装置が合計で四つのギアを有し、四つのギアである場合のギアシフト装置のセンサー１１が各ギアに対応するコーディング領域をセンシングする時における磁気板１０との対向位置を説明したが、ギアシフト装置にはただ四つのギアがあるとは限らなく、ギアシフト装置は他の数のギアを有してもよく、いずれかのコーディング領域には少なくとも、それと磁気板１０の同一の領域を共有する他の一つのコーディング領域が存在すればよい。
【００４０】
説明すべきなのは、図３に示されるギアシフト装置のセンサー１１は均一に分布され、センサー１１は３行２列という方式で配列されるが、センサー１１は図面に示される配列方式を満たさなければならないという意味ではなく、センサー１１は不均一に配列されてもよく、且つ３行または２列とは限らなく、いずれかのコーディング領域にはいずれも少なくとも、それと磁気板１０の同一の領域を共有する他の一つのコーディング領域が存在すればよく、相応的に、いずれかのギアに対して、いずれも少なくとも他の一つの目的ギアが存在し、センサー１１が該ギアと対応する目的ギアとをセンシングする場合に、センサー１１は磁気板１０との同一の対向位置を共有する。
【００４１】
説明すべきなのは、図３に示される第１ギアに対応するコーディング領域と第２ギアに対応するコーディング領域とが磁気板１０の同一の領域３０を共有し、第３ギアに対応するコーディング領域と第４ギアに対応するコーディング領域とが磁気板１０の同一の領域３１を共有し、センサー１１がコーディング領域をセンシングする場合に、同一の領域３０と同一の領域３１とがいずれもセンサー１１の１列に対応するが、コーディング領域が共有する磁気板１０の同一の領域の大きさは、図面に示される同一の領域３０または同一の領域３１の大きさでなければならないという意味ではなく、センサー１１が該四つのコーディング領域をセンシングする場合に、同一の領域３０と同一の領域３１とが、必ずセンサー１１の１列に対応するとは限らない。また、同一の領域３０と同一の領域３１との大きさも必ず等しいとは限らなく、対応するセンサー１１の数も必ず等しいとは限らない。
【００４２】
説明すべきなのは、本実施例により提供されるギアシフト装置において、磁気板１０は列及び行という形式で示されるが、磁気板１０は必ず列または行という形式でなければならないという意味ではない。図３に示すように、図面における斜線領域と非斜線領域表示とは、磁場の強度が異なる２組の領域を示し、センサー１１が磁気板１０をセンシングする場合に、斜線領域と非斜線領域での出力値が異なり、これによって、異なるコーディング領域で、センサー１１が異なる信号を出力するという効果を果たして、異なるギアの区分のために用いられる。ただし、斜線領域と非斜線領域との分布は図面に示される分布方式に準じなければならないという意味ではなく、センサー１１と協力してギアを区分すればよく、本発明は斜線領域と非斜線領域との具体的な分布状況を限定していない。
【００４３】
図４は、本発明の実施例により提供される他のギアシフト装置のセンサーが各ギアに対応するコーディング領域をセンシングする場合における磁気板との対向位置の模式図である。
【００４４】
前記実施例に基づき、磁気板１０のサイズをさらに小さくするために、磁気板１０はＮ列で、各コーディング領域はＫ列で、相応的に、センサー１１はＫ組で、各組には少なくとも一つのセンサー１１が含まれ、各組センサー１１が対応するコーディング領域の１列をセンシングし、コーディング領域が共有する磁気板１０の列の数が合計でＮ−２であり、
Ｎが３以上の正の整数であり、Ｋが２の以上で、且つＮより小さい正の整数であり、同一の領域が少なくとも１列である。
【００４５】
磁気板１０はＮ列に分けられ、各コーディング領域がそのうちのＫ列で、センサー１１がＫ組で、センサー１１が各コーディング領域をセンシングする場合に、１組のセンサー１１がコーディング領域の１列に対応し、全てのコーディング領域が共有する磁気板１０の列の数が合計でＮ−２である。
【００４６】
図４に示すように、本実施例により提供されるギアシフト装置において、磁気板１０は６列に分けられ、各コーディング領域が３列で、相応的に、センサー１１が３組で、第１ギアに対応するコーディング領域と第２ギアに対応するコーディング領域とが磁気板１０の同一の領域４０を共有し、磁気板１０の第２列と第３列に対応し、第２ギアに対応するコーディング領域はさらに第３ギアに対応するコーディング領域と磁気板１０の同一の領域４１を共有し、磁気板１０の第３列と第４列に対応し、第３ギアに対応するコーディング領域はさらに第４ギアに対応するコーディング領域と磁気板１０の同一の領域４２を共有し、磁気板１０の第４列と第５列に対応する。磁気板１０の第１列と第６列のみが、いずれか二つのギアに対応するコーディング領域によって共有されず、磁気板１０に対して、コーディング領域が共有する磁気板１０の列の数が合計で４列である。
【００４７】
説明すべきなのは、図４に示されるのは、ギアシフト装置は合計で四つのギアを有し、四つのギアである場合のギアシフト装置のセンサー１１が各ギアに対応するコーディング領域をセンシングする場合における磁気板１０との対向位置を説明したが、ギアシフト装置にはただ四つのギアがあるとは限らなく、ギアシフト装置は他の数のギアを有してもよい。本発明はギアシフト装置のギアの数を限定していない。
【００４８】
説明すべきなのは、図４に示されるギアシフト装置において、コーディング領域が３列で、センサー１１が３組に分けられ、各組には３つのセンサー１１が含まれ、図面における３行に対応するが、コーディング領域とセンサー１１とは必ず３列または３組でなければならないという意味ではなく、各組センサー１１の数も必ず３つとは限らない。本発明はコーディング領域の列数、センサー１１の組数及び各組センサー１１の数に対して、いずれも限定していない。
【００４９】
説明すべきなのは、図４に示される同一の領域４０、同一の領域４１、同一の領域４２はいずれも磁気板１０の２列に対応するが、同一の領域は磁気板１０の２列に対応しなければならないという意味ではなく、コーディング領域の列数は他の数値、またはセンサーの組数は他の数値である場合に、同一の領域の磁気板１０に対応する列数は他の数値であってもよい。注意すべきなのは、前記実施例に基づき、各々同一の領域の大きさがいずれも等しいという状況は、磁気板を最も節約するという状況、つまり最高の状況に対応するが、各々同一の領域の大きさが必ず等しく、即ち、いずれも磁気板１０における同じ列数に対応するという意味ではない。本発明はこれに対していずれも限定していない。
【００５０】
説明すべきなのは、図面における斜線領域と非斜線領域とは、磁気板における、磁場の強度が異なる２組領域を示し、センサー１１が磁気板１０をセンシングする場合に、斜線領域と非斜線領域での出力値が異なり、これによって、異なるコーディング領域で、センサー１１が異なる信号を出力するという効果を果たして、異なるギアの区分のために用いられる。ただし、斜線領域と非斜線領域との分布は図面に示される分布方式に準じなければならないという意味ではなく、センサー１１と協力してギアを区分すればよく、本発明は斜線領域と非斜線領域との具体的な分布状況を限定していない。
【００５１】
図５は本発明の実施例により提供される他のギアシフト装置のセンサーが各ギアに対応するコーディング領域をセンシングする場合における磁気板との対向位置の模式図である。
【００５２】
前記実施例に基づき、自動車において、最も通常のギアの数は５であるから、好適な実施形態として、Ｋは具体的に２で、Ｍは具体的に５である。
【００５３】
各コーディング領域は２列であり、相応的に、センサー１１は２組であり、各組には少なくとも一つのセンサー１１が含まれ、各組センサー１１が対応するコーディング領域の１列をセンシングし、ギアの数が５で、即ちコーディング領域の数が合計で５で、且つ全てのコーディング領域が共有する磁気板１０の列の数が合計でＮ−２であるため、これから分かるように、磁気板１０は合計で６列で、且つコーディング領域が共有する磁気板１０の列の数が合計で４である。センサー１１は２組で、コーディング領域の２列に対応するから、いずれかの同一の領域がいずれも磁気板１０の１列に対応する。
【００５４】
図５に示すように、各々コーディング領域は２列で、相応的に、センサー１１は２組に分けられ、ギアシフト装置は合計で５つのコーディング領域を有する。第１ギアに対応するコーディング領域と第２ギアに対応するコーディング領域とが磁気板１０の同一の領域５０を共有し、磁気板１０の第２列に対応し、第２ギアに対応するコーディング領域はさらに第３ギアに対応するコーディング領域と磁気板１０の同一の領域５１を共有し、磁気板１０の第３列に対応し、第３ギアに対応するコーディング領域はさらに第４ギアに対応するコーディング領域と磁気板１０の同一の領域５２を共有し、磁気板１０の第４列に対応し、第４ギアに対応するコーディング領域はさらに第５ギアに対応するコーディング領域と磁気板１０の同一の領域５３を共有し、磁気板１０の第５列に対応する。磁気板１０において、第１列と第６列のみがコーディング領域によって共有されていない。
【００５５】
説明すべきなのは、図面に示される各組センサー１１の数はいずれも４で、図面における４行に対応するが、各組センサー１１の数も４でなければならなくて、且つ各組センサー１１の数が必ず等しいという意味ではない。本発明は各組センサー１１の具体的な数及び各組センサー１１の数が等しいであるかどうかについて、限定していない。
【００５６】
説明すべきなのは、図面における斜線領域と非斜線領域とは、磁気板における、磁場の強度が異なる２組領域を示し、センサー１１が磁気板１０をセンシングする場合に、斜線領域と非斜線領域での出力値が異なり、これによって、異なるコーディング領域で、センサー１１が異なる信号を出力するという効果を果たして、異なるギアの区分のために用いられる。ただし、斜線領域と非斜線領域との分布は図面に示される分布方式に準じなければならないという意味ではなく、センサー１１と協力してギアを区分すればよく、本発明は斜線領域と非斜線領域との具体的な分布状況を限定していない。
【００５７】
図６は本発明の実施例により提供される他のギアシフト装置のセンサーが各ギアに対応するコーディング領域をセンシングする場合における磁気板との対向位置の模式図である。
【００５８】
前記実施例に基づき、いくつかの具体的な実施形態において、Ｍは具体的に５で、磁気板１０は７列で、各コーディング領域は２列で、相応的に、センサー１１は２組で、各組には少なくとも一つのセンサー１１が含まれ、各組センサー１１が対応するコーディング領域の１列をセンシングし、コーディング領域が共有する磁気板１０の列の数が合計で３である。
【００５９】
ギアの数が合計で５で、コーディング領域の数が合計で５で、磁気板１０が７列で、各コーディング領域がいずれも２列で、相応的に、センサー１１が２組で、コーディング領域が共有する磁気板１０の列の数が合計で３で、同一の領域がいずれも磁気板１０の１列である。
【００６０】
図６に示すように、第１ギアに対応するコーディング領域と第３ギアに対応するコーディング領域とが磁気板１０の同一の領域６０を共有し、磁気板１０の第３列に対応し、第２ギアに対応するコーディング領域と第４ギアに対応するコーディング領域とが磁気板１０の同一の領域６１を共有し、磁気板１０の第４列に対応し、第３ギアに対応するコーディング領域はさらに第５ギアに対応するコーディング領域と磁気板１０の同一の領域６２を共有し、磁気板１０の第５列に対応する。磁気板１０の第３列と、第４列と、第５列とが共有され、コーディング領域が共有する磁気板１０の列の数が合計で３である。
【００６１】
説明すべきなのは、図面に示される一つのコーディング領域が、磁気板１０の、中間に１列の間隔を持った２列領域に対応し、相応的に、磁気板１０をセンシングする場合に、２組のセンサー１１の間は１列の間隔を持つが、一つのコーディング領域が対応する磁気板１０での列は、図面に示される方式を満たさなければならないという意味ではなく、相応的に、磁気板１０をセンシングする場合に、２組のセンサー１１の間は、１列の間隔を持たなければならないという意味ではない。コーディング領域が共有する磁気板１０の列の数が合計で３であればよい。また、具体的にどの二つのギアが協力して磁気板１０の同一の領域を共有し、及び共有された磁気板の３列は具体的にどの３列であるかについて、本発明はいずれも限定していない。図面に示される各組センサー１１の数はいずれも４であるが、各組センサー１１の数は４でなければならなくて、且つ各組センサー１１の数は必ず等しいという意味ではなく、本発明は各組センサー１１の数及び各組センサー１１の数が等しいであるかどうかについて、いずれも限定していない。
【００６２】
説明すべきなのは、図面における斜線領域と非斜線領域とは磁場の強度が異なる２組の領域を示し、センサー１１が磁気板１０をセンシングする場合に、斜線領域と非斜線領域での出力値が異なり、これによって、異なるコーディング領域で、センサー１１が異なる信号を出力するという効果を果たして、異なるギアの区分のために用いられる。ただし、斜線領域と非斜線領域との分布は図面に示される分布方式に準じなければならないという意味ではなく、センサー１１と協力してギアを区分すればよく、本発明は斜線領域と非斜線領域との具体的な分布状況を限定していない。
【００６３】
図７は本発明の実施例により提供される他のギアシフト装置のセンサーが各ギアに対応するコーディング領域をセンシングする場合における磁気板との対向位置模式図である。
【００６４】
前記実施例に基づき、いくつかの具体的な実施形態において、Ｍは具体的に５で、磁気板１０は８列で、各コーディング領域は２列で、相応的に、センサー１１は２組で、各組には少なくとも一つのセンサー１１が含まれ、各組センサー１１がコーディング領域の１列をセンシングし、コーディング領域が共有する磁気板１０の列の数が合計で２である。
【００６５】
ギア数が合計で５で、コーディング領域の数が合計で５で、磁気板１０が８列で、各コーディング領域がいずれも２列で、相応的に、センサー１１が２組で、コーディング領域が共有する磁気板１０の列の数が合計で２で、同一の領域がいずれも磁気板１０の１列である。
【００６６】
図７に示すように、第１ギアに対応するコーディング領域と第４ギアに対応するコーディング領域とが磁気板１０の同一の領域７０を共有し、磁気板１０の第４列に対応し、第２ギアに対応するコーディング領域と第５ギアに対応するコーディング領域とが磁気板１０の同一の領域７１を共有し、磁気板１０の第５列に対応する。磁気板１０の第４列と、第５列とが共有され、コーディング領域が共有する磁気板１０の列の数が合計で２である。
【００６７】
説明すべきなのは、図面に示される一つのコーディング領域が、磁気板１０の、中間に２列の間隔を持った２列領域に対応し、相応的に、磁気板１０をセンシングする場合に、２組のセンサー１１は２列の間隔を持つが、一つのコーディング領域が対応する磁気板１０での列は図面に示される方式を満たさなければならないという意味ではなく、相応的に、磁気板１０をセンシングする場合に、２組のセンサー１１の間は２列の間隔を持たなければならないという意味ではない。コーディング領域が共有する磁気板１０の列の数は合計で２であればよい。また、具体的にどの二つのギアが協力して磁気板１０の同一の領域を共有し、及び共有された磁気板１０の２列は具体的にどの２列であるかについて、本発明はいずれも限定していない。図面に示される各組センサー１１の数はいずれも４であるが、各組センサー１１の数は４でなければならなくて、各組センサー１１の数が必ず等しいという意味ではなく、本発明は各組センサー１１の数及び各組センサー１１の数が等しいであるかどうかについて、いずれも限定していない。
【００６８】
説明すべきなのは、図面における斜線領域と非斜線領域とは磁気板での、磁場の強度が異なる２組の領域を示し、センサー１１が磁気板１０をセンシングする場合に、斜線領域と非斜線領域での出力値が異なり、これによって、異なるコーディング領域で、センサー１１が異なる信号を出力するという効果を果たして、異なるギアの区分のために用いられる。ただし、斜線領域と非斜線領域との分布は図面に示される分布方式に準じなければならないという意味ではなく、センサー１１と協力してギアを区分すればよく、本発明は斜線領域と非斜線領域との具体的な分布状況を限定していない。
【００６９】
図８は本発明の実施例により提供される他のギアシフト装置のセンサーが各ギアに対応するコーディング領域をセンシングする場合における磁気板との対向位置の模式図である。
【００７０】
前記実施例に基づき、いくつかの具体的な実施形態において、Ｍは具体的に５で、磁気板１０は９列で、各コーディング領域は２列で、相応的に、センサー１１は２組で、各組には少なくとも一つのセンサー１１が含まれ、各組センサー１１が対応するコーディング領域の１列をセンシングし、コーディング領域が共有する磁気板１０の列の数が合計で１である。
【００７１】
ギア数は合計で５で、コーディング領域の数は合計で５で、磁気板１０は９列で、各コーディング領域はいずれも２列で、相応的に、センサー１１は２組で、コーディング領域が共有する磁気板１０の列の数が合計で１で、同一の領域はいずれも磁気板１０の１列である。
【００７２】
図８に示すように、第１ギアに対応するコーディング領域と第５ギアに対応するコーディング領域とが磁気板１０の同一の領域８０を共有し、磁気板１０の第５列に対応し、コーディング領域が共有する磁気板１０の列の数が合計で１である。
【００７３】
説明すべきなのは、図面に示される一つのコーディング領域が、磁気板１０の、中間に３列の間隔を持った２列領域に対応し、相応的に、磁気板をセンシングする場合に、２組のセンサー１１の間は３列の間隔を持つが、一つのコーディング領域が対応する磁気板１０での列は、図面に示される方式を満たさなければならないという意味ではなく、相応的に、磁気板１０をセンシングする場合に、２組のセンサー１１の間は３列の間隔を持たさなければならないという意味ではない。コーディング領域が共有する磁気板１０の列の数が合計で１であればよい。また、具体的にどの二つのギアが協力して磁気板１０の同一の領域を共有し、及び共有された磁気板１０の１列が具体的にどの１列であるかについて、本発明はいずれも限定していない。図面に示される各組センサー１１の数はいずれも４であるが、各組センサー１１の数は４でなければならなくて、各組センサー１１の数は必ず等しいという意味ではなく、本発明は各組センサー１１の数、及び各組センサー１１の数が等しいであるかどうかについて、いずれも限定していない。
【００７４】
説明すべきなのは、図面における斜線領域と非斜線領域とは磁場の強度が異なる２組の領域を示し、センサー１１が磁気板１０をセンシングする場合に、斜線領域と非斜線領域での出力値が異なり、これによって、異なるコーディング領域で、センサー１１が異なる信号を出力するという効果を果たして、異なるギアの区分のために用いられる。ただし、斜線領域と非斜線領域との分布は図面に示される分布方式に準じなければならないという意味ではなく、センサー１１と協力してギアを区分すればよく、本発明は斜線領域と非斜線領域との具体的な分布状況を限定していない。
【００７５】
前記実施例に基づき、各々領域に対して容易にコーディングを行うために、好適な実施形態として、各組センサー１１の数量がいずれも等しい。
【００７６】
前記実施例に基づき、センサー１１が磁気板をよりよくセンシングするために、好適な実施形態として、センサー１１は具体的にホールセンサーであり、ホールセンサーはホール効果に応じて製造されるセンサーであり、磁場の強度に応じて大きさが異なる電圧を出力し、磁気板における各々コーディング領域の磁場分布がいずれも異なり、これによって、センサー１１がコーディング領域をセンシングする時、異なる電圧信号を出力し、異なるギアの区分のために用いられる。
【００７７】
以上はギアシフト装置の実施例を詳しく説明し、前記実施例に説明するギアシフト装置に基づき、本発明の実施例は、該装置に対応するギアのコーディング方法を提供する。方法部分の実施例と装置部分の実施例とが互いに対応するから、方法部分の実施例について、装置部分の実施例の説明を参照すればよく、ここで詳しく冗長には説明しない。
【００７８】
図９は本発明の実施例により提供されるギアのコーディング方法のフローチャートであり、図９に示すように、
Ｓ９０：磁気板に、各ギアに対応するコーディング領域を配置することと
Ｓ９１：センサーが各コーディング領域をセンシングする場合の出力信号に応じて各ギアに対してコーディングを行うこととを含む。
【００７９】
異なるギアにおいて、センサーの、コーディング領域が共有する磁気板の同一の領域での出力信号に対応するコードの一部が等しい。
【００８０】
図５により提供されるギアシフト装置を例として、ギアのコーディング方法を詳しく説明する。各組には４つのセンサー１１が含まれ、まず磁気板１０の各列に対してコーディングを行う。磁気板１０の第１列に対応するコードは、例えばＡ１Ａ２Ａ３Ａ４であれば、対応するように、センサー１１が第１列をセンシングする時、出力値に対応するコードはＡ１Ａ２Ａ３Ａ４であり、磁気板１０の第２列に対応するコードが、例えばＢ１Ｂ２Ｂ３Ｂ４であり、対応するように、センサー１１が第２列をセンシングする時、出力値に対応するコードがＢ１Ｂ２Ｂ３Ｂ４であり、磁気板１０の第３列に対応するコードが、例えばＣ１Ｃ２Ｃ３Ｃ４であり、対応するように、センサー１１が第３列をセンシングする時、出力値に対応するコードがＣ１Ｃ２Ｃ３Ｃ４であり、磁気板１０の第４列に対応するコードが、例えばＤ１Ｄ２Ｄ３Ｄ４であり、対応するように、センサー１１が第４列をセンシングする時、出力値に対応するコードがＤ１Ｄ２Ｄ３Ｄ４であり、磁気板１０の第５列に対応するコードが、例えばＥ１Ｅ２Ｅ３Ｅ４であり、対応するように、センサー１１が第５列をセンシングする時、出力値に対応するコードがＥ１Ｅ２Ｅ３Ｅ４であり、磁気板１０の第６列に対応するコードが、例えばＦ１Ｆ２Ｆ３Ｆ４であり、対応するように、センサー１１が第６列をセンシングする時、出力値に対応するコードがＦ１Ｆ２Ｆ３Ｆ４である。
【００８１】
説明すべきなのは、磁気板１０の各列に対応するコードは他の数値であってもよく、本発明は各列のコードの具体的な数値を限定していない。
【００８２】
第１ギアに対応するコーディング領域は磁気板１０の第１列と第２列であり、センサー１１が第１ギアに対応するコーディング領域をセンシングする時、出力値に対応するコードがＡ１Ａ２Ａ３Ａ４Ｂ１Ｂ２Ｂ３Ｂ４であり、第１ギアに対応するコードがＡ１Ａ２Ａ３Ａ４Ｂ１Ｂ２Ｂ３Ｂ４である。
【００８３】
第２ギアに対応するコーディング領域は磁気板１０の第２列と第３列であり、センサー１１が第２ギアに対応するコーディング領域をセンシングする時、出力値に対応するコードがＢ１Ｂ２Ｂ３Ｂ４Ｃ１Ｃ２Ｃ３Ｃ４であり、第２ギアに対応するコードがＢ１Ｂ２Ｂ３Ｂ４Ｃ１Ｃ２Ｃ３Ｃ４である。
【００８４】
第３ギアに対応するコーディング領域は磁気板１０の第３列と第４列であり、センサー１１が第３ギアに対応するコーディング領域をセンシングする時、出力値に対応するコードがＣ１Ｃ２Ｃ３Ｃ４Ｄ１Ｄ２Ｄ３Ｄ４であると、第３ギアのコードがＣ１Ｃ２Ｃ３Ｃ４Ｄ１Ｄ２Ｄ３Ｄ４である。
【００８５】
第４ギアに対応するコーディング領域は磁気板１０の第４列と第５列であり、センサー１１が第４ギアに対応するコーディング領域をセンシングする時、出力値に対応するコードがＤ１Ｄ２Ｄ３Ｄ４Ｅ１Ｅ２Ｅ３Ｅ４であると、第４ギアのコードがＤ１Ｄ２Ｄ３Ｄ４Ｅ１Ｅ２Ｅ３Ｅ４である。
【００８６】
第５ギアに対応するコーディング領域は磁気板１０の第５列と第６列であり、センサー１１が第５ギアに対応するコーディング領域をセンシングする時、出力値に対応するコードがＥ１Ｅ２Ｅ３Ｅ４Ｆ１Ｆ２Ｆ３Ｆ４であると、第５ギアのコードがＥ１Ｅ２Ｅ３Ｅ４Ｆ１Ｆ２Ｆ３Ｆ４である。
【００８７】
ギアシフト装置のコーディング領域が磁気板１０の第２列と、第３列と、第４列と、第５列とを共有するため、第１ギアのコードの最後の４桁が第２ギアのコードの前の４桁に等しく、第２ギアのコードの最後の４桁が第３ギアのコードの前の４桁に等しく、第３ギアのコードの最後の４桁が第４ギアのコードの前の４桁に等しく、第４ギアのコードの最後の４桁が第５ギアのコードの前の４桁に等しい。
【００８８】
従って、ギアに対してコーディングする場合に、前記関係を満たせばよく、つまり、異なるギアにおいて、センサーの、コーディング領域が共有する磁気板１０の同一の領域での出力信号に対応するコードの一部が等しい。
【００８９】
例えば、具体的な実施形態において、好ましくは、センサーはホールセンサーであり、図５における斜線領域は磁気板での、磁場を有する領域を示し、このように、センサーが斜線領域にある場合に、出力値を有し、対応するコードが１であり、非斜線領域は磁気板での、磁場がない領域を示し、このように、センサーが非斜線領域にある場合に、出力値がなく、対応するコードが０である。第１ギアに対応するコードは具体的に１００１１０１０であり、第２ギアに対応するコードは具体的に１０１０００１１であり、第３ギアに対応するコードは具体的に００１１０１０１であり、第４ギアに対応するコードは０１０１１１００であり、第５ギアに対応するコードは１１００１００１である。このように、第１ギアコードの最後の４桁が第２ギアコードの前の４桁に等しく、いずれも１０１０であり、第２ギアコードの最後の４桁が第３ギアコードの前の４桁に等しく、いずれも００１１であり、第３ギアコードの最後の４桁が第４ギアコードの前の４桁に等しく、いずれも０１０１であり、第４ギアコードの最後の４桁が第５ギアコードの前の４桁に等しく、いずれも１１００である。
【００９０】
図６により提供されるギアシフト装置を例として、ギアのコーディング方法を詳しく説明する。各組には４つのセンサー１１が含まれ、まず磁気板１０の各列に対してコーディングを行う。磁気板１０の第１列に対応するコードが、例えばＡ１Ａ２Ａ３Ａ４であれば、対応するように、センサー１１が第１列をセンシングする時、出力値に対応するコードがＡ１Ａ２Ａ３Ａ４であり、磁気板１０の第２列に対応するコードが、例えばＢ１Ｂ２Ｂ３Ｂ４であり、対応するように、センサー１１が第２列をセンシングする場合に、出力値に対応するコードがＢ１Ｂ２Ｂ３Ｂ４であり、磁気板１０の第３列に対応するコードが、例えばＣ１Ｃ２Ｃ３Ｃ４であり、対応するように、センサー１１が第３列をセンシングする時、出力値に対応するコードがＣ１Ｃ２Ｃ３Ｃ４であり、磁気板１０の第４列に対応するコードが、例えばＤ１Ｄ２Ｄ３Ｄ４であり、対応するように、センサー１１が第４列をセンシングする時、出力値に対応するコードがＤ１Ｄ２Ｄ３Ｄ４であり、磁気板１０の第５列に対応するコードが、例えばＥ１Ｅ２Ｅ３Ｅ４であり、対応するように、センサー１１が第５列をセンシングする時、出力値に対応するコードがＥ１Ｅ２Ｅ３Ｅ４であり、磁気板１０の第６列に対応するコードが、例えばＦ１Ｆ２Ｆ３Ｆ４であり、対応するように、センサー１１が第６列をセンシングする時、出力値に対応するコードがＦ１Ｆ２Ｆ３Ｆ４であり、磁気板１０の第７列に対応するコードが、例えばＧ１Ｇ２Ｇ３Ｇ４であり、対応するように、センサー１１が第７列をセンシングする時、出力値に対応するコードがＧ１Ｇ２Ｇ３Ｇ４である。
【００９１】
説明すべきなのは、磁気板１０の各列に対応するコードは他の数値であってもよく、本発明は各列のコードの具体的な数値を限定していない。
【００９２】
第１ギアに対応するコーディング領域は磁気板１０の第１列と第３列であり、センサー１１が第１ギアに対応するコーディング領域をセンシングする時、出力値に対応するコードがＡ１Ａ２Ａ３Ａ４Ｃ１Ｃ２Ｃ３Ｃ４であり、第１ギアに対応するコードがＡ１Ａ２Ａ３Ａ４Ｃ１Ｃ２Ｃ３Ｃ４である。
【００９３】
第２ギアに対応するコーディング領域は磁気板１０の第２列と第４列であり、センサー１１が第２ギアに対応するコーディング領域をセンシングする時、出力値に対応するコードがＢ１Ｂ２Ｂ３Ｂ４Ｄ１Ｄ２Ｄ３Ｄ４であり、第２ギアに対応するコードがＢ１Ｂ２Ｂ３Ｂ４Ｄ１Ｄ２Ｄ３Ｄ４である。
【００９４】
第３ギアに対応するコーディング領域は磁気板１０の第３列と第５列であり、センサー１１が第３ギアに対応するコーディング領域をセンシングする時、出力値に対応するコードがＣ１Ｃ２Ｃ３Ｃ４Ｅ１Ｅ２Ｅ３Ｅ４であれば、第３ギアのコードがＣ１Ｃ２Ｃ３Ｃ４Ｅ１Ｅ２Ｅ３Ｅ４である。
【００９５】
第４ギアに対応するコーディング領域は磁気板１０の第４列と第６列であり、センサー１１が第４ギアに対応するコーディング領域をセンシングする時、出力値に対応するコードがＤ１Ｄ２Ｄ３Ｄ４Ｆ１Ｆ２Ｆ３Ｆ４であれば、第４ギアのコードがＤ１Ｄ２Ｄ３Ｄ４Ｆ１Ｆ２Ｆ３Ｆ４である。
【００９６】
第５ギアに対応するコーディング領域は磁気板１０の第５列と第７列であり、センサー１１が第５ギアに対応するコーディング領域をセンシングする時、出力値に対応するコードがＥ１Ｅ２Ｅ３Ｅ４Ｇ１Ｇ２Ｇ３Ｇ４であれば、第５ギアのコードがＥ１Ｅ２Ｅ３Ｅ４Ｇ１Ｇ２Ｇ３Ｇ４である。
【００９７】
ギアシフト装置のコーディング領域が磁気板１０の第３列と、第４列と、第５列とを共有するため、第１ギアのコードの最後の４桁が第３ギアのコードの前の４桁に等しく、第２ギアのコードの最後の４桁が第４ギアのコードの前の４桁に等しく、第３ギアのコードの最後の４桁が第５ギアのコードの前の４桁に等しい。
【００９８】
従って、ギアに対してコーディングする場合に、前記関係を満たせばよく、つまり、異なるギアにおいて、センサーの、コーディング領域が共有する磁気板１０の同一の領域での出力信号に対応するコードの一部が等しい。
【００９９】
例えば、具体的な実施形態において、好ましくは、センサーはホールセンサーであり、図６における斜線領域は、磁気板での、磁場を有する領域を示し、これによって、センサーが斜線領域にある場合に、出力値を有し、対応するコードが１であり、非斜線領域は、磁気板での、磁場がない領域を示し、これによって、センサーが非斜線領域にある場合に、出力値がなく、対応するコードが０である。第１ギアに対応するコードが具体的に１０１００１０１であり、第２ギアに対応するコードが具体的に１００１０１１０であり、第３ギアに対応するコードが具体的に０１０１００１１であり、第４ギアに対応するコードが０１１０１００１であり、第５ギアに対応するコードが００１１１１００である。このように、第１ギアコードの最後の４桁が第３ギアコードの前の４桁に等しく、いずれも０１０１であり、第２ギアコードの最後の４桁が第４ギアコードの前の４桁に等しく、いずれも０１１０であり、第３ギアコードの最後の４桁が第５ギアコードの前の４桁に等しく、いずれも００１１である。
【０１００】
図７により提供されるギアシフト装置を例として、ギアのコーディング方法を詳しく説明する。各組には４つのセンサー１１が含まれ、まず磁気板１０の各列に対してコーディングを行う。磁気板１０の第１列に対応するコードが、例えばＡ１Ａ２Ａ３Ａ４であれば、対応するように、センサー１１が第１列をセンシングする時、出力値に対応するコードがＡ１Ａ２Ａ３Ａ４であり、磁気板１０の第２列に対応するコードが、例えばＢ１Ｂ２Ｂ３Ｂ４であり、対応するように、センサー１１が第２列をセンシングする時、出力値に対応するコードがＢ１Ｂ２Ｂ３Ｂ４であり、磁気板１０の第３列に対応するコードが、例えばＣ１Ｃ２Ｃ３Ｃ４であり、対応するように、センサー１１が第３列をセンシングする時、出力値に対応するコードがＣ１Ｃ２Ｃ３Ｃ４であり、磁気板１０の第４列に対応するコードが、例えばＤ１Ｄ２Ｄ３Ｄ４であり、対応するように、センサー１１が第４列をセンシングする時、出力値に対応するコードがＤ１Ｄ２Ｄ３Ｄ４であり、磁気板１０の第５列に対応するコードが、例えばＥ１Ｅ２Ｅ３Ｅ４であり、対応するように、センサー１１が第５列をセンシングする時、出力値に対応するコードがＥ１Ｅ２Ｅ３Ｅ４であり、磁気板１０の第６列に対応するコードが、例えばＦ１Ｆ２Ｆ３Ｆ４であり、対応するように、センサー１１が第６列をセンシングする時、出力値に対応するコードがＦ１Ｆ２Ｆ３Ｆ４であり、磁気板１０の第７列に対応するコードが、例えばＧ１Ｇ２Ｇ３Ｇ４であり、対応するように、センサー１１が第７列をセンシングする時、出力値に対応するコードがＧ１Ｇ２Ｇ３Ｇ４であり、磁気板１０の第８列に対応するコードが、例えばＨ１Ｈ２Ｈ３Ｈ４であり、対応するように、センサー１１が第８列をセンシングする時、出力値に対応するコードがＨ１Ｈ２Ｈ３Ｈ４である。
【０１０１】
説明すべきなのは、磁気板１０の各列に対応するコードは他の数値であってもよく、本発明は各列のコードの具体的な数値を限定していない。
【０１０２】
第１ギアに対応するコーディング領域は磁気板１０の第１列と第４列であり、センサー１１が第１ギアに対応するコーディング領域をセンシングする時、出力値に対応するコードがＡ１Ａ２Ａ３Ａ４Ｄ１Ｄ２Ｄ３Ｄ４であり、第１ギアに対応するコードがＡ１Ａ２Ａ３Ａ４Ｄ１Ｄ２Ｄ３Ｄ４である。
【０１０３】
第２ギアに対応するコーディング領域は磁気板１０の第２列と第５列であり、センサー１１が第２ギアに対応するコーディング領域をセンシングする時、出力値に対応するコードがＢ１Ｂ２Ｂ３Ｂ４Ｅ１Ｅ２Ｅ３Ｅ４であり、第２ギアに対応するコードがＢ１Ｂ２Ｂ３Ｂ４Ｅ１Ｅ２Ｅ３Ｅ４である。
【０１０４】
第３ギアに対応するコーディング領域は磁気板１０の第３列と第６列であり、センサー１１が第３ギアに対応するコーディング領域をセンシングする時、出力値に対応するコードがＣ１Ｃ２Ｃ３Ｃ４Ｆ１Ｆ２Ｆ３Ｆ４であれば、第３ギアのコードがＣ１Ｃ２Ｃ３Ｃ４Ｆ１Ｆ２Ｆ３Ｆ４である。
【０１０５】
第４ギアに対応するコーディング領域は磁気板１０の第４列と第７列であり、センサー１１が第４ギアに対応するコーディング領域をセンシングする時、出力値に対応するコードがＤ１Ｄ２Ｄ３Ｄ４Ｇ１Ｇ２Ｇ３Ｇ４であれば、第４ギアのコードがＤ１Ｄ２Ｄ３Ｄ４Ｇ１Ｇ２Ｇ３Ｇ４である。
【０１０６】
第５ギアに対応するコーディング領域は磁気板１０の第５列と第８列であり、センサー１１が第５ギアに対応するコーディング領域をセンシングする時、出力値に対応するコードがＥ１Ｅ２Ｅ３Ｅ４Ｈ１Ｈ２Ｈ３Ｈ４であれば、第５ギアのコードがＥ１Ｅ２Ｅ３Ｅ４Ｈ１Ｈ２Ｈ３Ｈ４である。
【０１０７】
ギアシフト装置のコーディング領域が磁気板１０の第４列と、第５列とを共有するから、第１ギアのコードの最後の４桁が第４ギアのコードの前の４桁に等しく、第２ギアのコードの最後の４桁が第５ギアのコードの前の４桁に等しい。
【０１０８】
従って、ギアに対してコーディングする場合に、前記関係を満たせばよく、つまり、異なるギアにおいて、センサーの、コーディング領域が共有する磁気板１０の同一の領域での出力信号に対応するコードの一部が等しい。
【０１０９】
例えば、具体的な実施形態において、好ましくは、センサーはホールセンサーであり、図７における斜線領域は磁気板での、磁場を有する領域を示し、これによって、センサーが斜線領域にある場合に出力値を有し、対応するコードが１であり、非斜線領域は磁気板での、磁場がない領域を示し、これによって、センサーは非斜線領域にある場合に出力値がなく、対応する的コードが０である。第１ギアに対応するコードが具体的に１０１００１１０であり、第２ギアに対応するコードが具体的に１００１００１１であり、第３ギアに対応するコードが具体的に０１０１０１０１であり、第４ギアに対応するコードが０１１０１１００であり、第５ギアに対応するコードが００１１１０１０である。このように、第１ギアコードの最後の４桁が第４ギアコードの前の４桁に等しく、いずれも０１１０であり、第２ギアコードの最後の４桁が第５ギアコードの前の４桁に等しく、いずれも００１１である。
【０１１０】
図８により提供されるギアシフト装置を例として、ギアのコーディング方法を詳しく説明する。各組には４つのセンサー１１が含まれ、まず磁気板１０の各列に対してコーディングを行う。磁気板１０の第１列に対応するコードが、例えばＡ１Ａ２Ａ３Ａ４であり、対応するように、センサー１１が第１列をセンシングする時、出力値に対応するコードがＡ１Ａ２Ａ３Ａ４であり、磁気板１０の第２列に対応するコードが、例えばＢ１Ｂ２Ｂ３Ｂ４であり、対応するように、センサー１１が第２列をセンシングする時、出力値に対応するコードがＢ１Ｂ２Ｂ３Ｂ４であり、磁気板１０の第３列に対応するコードが、例えばＣ１Ｃ２Ｃ３Ｃ４であり、対応するように、センサー１１が第３列をセンシングする時、出力値に対応するコードがＣ１Ｃ２Ｃ３Ｃ４であり、磁気板１０の第４列に対応するコードが、例えばＤ１Ｄ２Ｄ３Ｄ４であり、対応するように、センサー１１が第４列をセンシングする時、出力値に対応するコードがＤ１Ｄ２Ｄ３Ｄ４であり、磁気板１０の第５列に対応するコードが、例えばＥ１Ｅ２Ｅ３Ｅ４であり、対応するように、センサー１１が第５列をセンシングする時、出力値に対応するコードがＥ１Ｅ２Ｅ３Ｅ４であり、磁気板１０の第６列に対応するコードが、例えばＦ１Ｆ２Ｆ３Ｆ４であり、対応するように、センサー１１が第６列をセンシングする時、出力値に対応するコードがＦ１Ｆ２Ｆ３Ｆ４であり、磁気板１０の第７列に対応するコードが、例えばＧ１Ｇ２Ｇ３Ｇ４であり、対応するように、センサー１１が第７列をセンシングする時、出力値に対応するコードがＧ１Ｇ２Ｇ３Ｇ４であり、磁気板１０の第８列に対応するコードが、例えばＨ１Ｈ２Ｈ３Ｈ４であり、対応するように、センサー１１が第８列をセンシングする時、出力値に対応するコードがＨ１Ｈ２Ｈ３Ｈ４であり、磁気板１０の第９列に対応するコードが、例えばＩ１Ｉ２Ｉ３Ｉ４であり、対応するように、センサー１１が第９列をセンシングする時、出力値に対応するコードがＩ１Ｉ２Ｉ３Ｉ４である。
【０１１１】
説明すべきなのは、磁気板１０の各列に対応するコードは他の数値であってもよく、本発明は各列のコードの具体的な数値を限定していない。
【０１１２】
第１ギアに対応するコーディング領域は磁気板１０の第１列と第５列であり、センサー１１が第１ギアに対応するコーディング領域をセンシングする時、出力値に対応するコードがＡ１Ａ２Ａ３Ａ４Ｅ１Ｅ２Ｅ３Ｅ４であり、第１ギアに対応するコードがＡ１Ａ２Ａ３Ａ４Ｅ１Ｅ２Ｅ３Ｅ４である。
【０１１３】
第２ギアに対応するコーディング領域は磁気板１０の第２列と第６列であり、センサー１１が第２ギアに対応するコーディング領域をセンシングする時、出力値に対応するコードがＢ１Ｂ２Ｂ３Ｂ４Ｆ１Ｆ２Ｆ３Ｆ４であり、第２ギアに対応するコードがＢ１Ｂ２Ｂ３Ｂ４Ｆ１Ｆ２Ｆ３Ｆ４である。
【０１１４】
第３ギアに対応するコーディング領域は磁気板１０の第３列と第７列であり、センサー１１が第３ギアに対応するコーディング領域をセンシングする時、出力値に対応するコードがＣ１Ｃ２Ｃ３Ｃ４Ｇ１Ｇ２Ｇ３Ｇ４であれば、第３ギアのコードがＣ１Ｃ２Ｃ３Ｃ４Ｇ１Ｇ２Ｇ３Ｇ４である。
【０１１５】
第４ギアに対応するコーディング領域は磁気板１０の第４列と第８列であり、センサー１１が第４ギアに対応するコーディング領域をセンシングする時、出力値に対応するコードがＤ１Ｄ２Ｄ３Ｄ４Ｈ１Ｈ２Ｈ３Ｈ４であれば、第４ギアのコードがＤ１Ｄ２Ｄ３Ｄ４Ｈ１Ｈ２Ｈ３Ｈ４である。
【０１１６】
第５ギアに対応する的コーディング領域は磁気板１０の第５列と第９列であり、センサー１１が第５ギアに対応するコーディング領域をセンシングする時、出力値に対応するコードがＥ１Ｅ２Ｅ３Ｅ４Ｉ１Ｉ２Ｉ３Ｉ４であれば、第５ギアのコードがＥ１Ｅ２Ｅ３Ｅ４Ｉ１Ｉ２Ｉ３Ｉ４である。
【０１１７】
ギアシフト装置のコーディング領域が磁気板１０の第５列を共有するため、第１ギアのコードの最後の４桁が第５ギアのコードの前の４桁に等しい。
【０１１８】
従って、ギアに対してコーディングする場合に、前記関係を満たせばよく、つまり、異なるギアにおいて、センサーの、コーディング領域が共有する磁気板１０の同一の領域での出力信号に対応するコードの一部が等しい。
【０１１９】
例えば、具体的な実施形態において、好ましくは、センサーはホールセンサーであり、図８における斜線領域は、磁気板での、磁場を有する領域を示し、これによって、センサーが斜線領域にある場合に、出力値を有し、対応するコードが１であり、非斜線領域は磁気板での、磁場がない領域を示し、これによって、センサーが非斜線領域にある場合に、出力値がなく、対応するコードは０である。第１ギアに対応するコードが具体的に１０１００１１０であり、第２ギアに対応するコードが具体的に１１００００１１であり、第３ギアに対応するコードが具体的に０１０１０１０１であり、第４ギアに対応するコードが００１１１００１であり、第５ギアに対応するコードが０１１０１０１０である。このように、第１ギアコードの最後の４桁が第５ギアコードの前の４桁に等しく、いずれも０１１０である。
【０１２０】
本実施例により提供されるギアのコーディング方法は、磁気板に、各ギアに対応するコーディング領域を配置することと、センサーが各コーディング領域をセンシングする場合の出力信号に応じて各ギアに対してコーディングを行うこととを含む。異なるギアにおいて、センサーの、コーディング領域が共有する磁気板の同一の領域での出力信号に対応するコードの一部が等しい。このように、コーディング領域を設定する場合に、異なるギアに対応するコーディング領域は磁気板の同一の領域を共有できるから、磁気板のサイズを小さくする。
【０１２１】
以上は本発明により提供されるギアシフト装置及びギアのコーディング方法を詳しく紹介した。明細書における各々実施例に対して、段階的という方式で説明し、各々実施例は主に他の実施例との相違点を説明し、各々実施例の間の類似部分について、互いに参照すればよい。
【０１２２】
指摘すべきなのは、当業者にとって、本発明の原理から逸脱しないという前提で、本発明に対して若干の改良及び修飾を行ってもよく、これらの改良及び修飾も本発明の請求項の保護範囲に該当する。
【０１２３】
さらに説明すべきなのは、本明細書において、例えば第１と第２のような関係用語は、ただ一つの実体または操作と他の実体または操作とを区分するために用いられ、これらの実体または操作の間には、いかなるこのような実際の関係または順序が存在するように要求しまたは暗示するとは限らない。そして、用語である「含む」、「含める」またはそのいかなる変形は、非排他的な含めをカバーし、これによって、一連の要因を含む過程、方法、物品または機器が、これらの要因だけではなく、さらに、明らかに挙げられていない他の要因を含み、または、さらに、このような過程、方法、物品または機器の固有の要因を含む。より多い限制がない場合に、「一つの……を含む」という語句による限定された要因は、前記要因を含む過程、方法、物品または機器には他の同じ要因が存在することを排除していない。
【図１（ａ）】
2021501293.tif 000003
【図１（ｂ）】
2021501293.tif 000004
【図２】
2021501293.tif 000005
【図３】
2021501293.tif 000006
【図４】
2021501293.tif 000007
【図５】
2021501293.tif 000008
【図６】
2021501293.tif 000009
【図７】
2021501293.tif 000010
【図８】
2021501293.tif 000011
【図９】
2021501293.tif 000012
【国際調査報告】
2021501293.tif 000013
2021501293.tif 000014
2021501293.tif 000015
2021501293.tif 000016